(57)【要約】      （修正有）【課題】潤滑剤としての必要な特性を発揮する前提で、コロストミー用パウチからの排泄物の排出性を維持または向上させ、排泄物臭の発生を抑制し、かつ、操作性および携帯性を向上しうる、コロストミー用排泄物処理剤を提供する。【解決手段】粒状水溶性潤滑剤と、粒状吸水性ゲル化剤と、重曹と、酸化亜鉛、リモナイトおよび硫化亜鉛からなる群から選択される少なくとも１種を含む成分と、を含む薬剤Ａが、水溶性基材中に包含されてなる、コロストミー用排泄物処理剤。【選択図】図１
2018114074.tif 000002
【特許請求の範囲】
【請求項１】
（１）粒状水溶性潤滑剤と、
（２）粒状吸水性ゲル化剤と、
（３）重曹と、
（４）酸化亜鉛、リモナイトおよび硫化亜鉛からなる群から選択される少なくとも１種を含む成分と、
を含む薬剤Ａが、水溶性基材中に包含されてなる、コロストミー用排泄物処理剤。
【請求項２】
（５）リグニン、消石灰および石灰石からなる群から選択される少なくとも１種を含む成分をさらに含む、請求項１に記載のコロストミー用排泄物処理剤。
【請求項３】
前記（４）成分が、酸化亜鉛または硫化亜鉛であり、
前記（５）成分が、消石灰または石灰石である、請求項２に記載のコロストミー用排泄物処理剤。
【請求項４】
前記粒状吸水性ゲル化剤の平均粒子径が２０〜６０μｍである、請求項１〜３のいずれか１項に記載のコロストミー用排泄物処理剤。
【請求項５】
前記粒状水溶性潤滑剤が、ゲル化能を有し、
前記粒状吸水性ゲル化剤のゲル化の開始が、前記粒状水溶性潤滑剤のゲル化の開始よりも早い、請求項１〜４のいずれか１項に記載のコロストミー用排泄物処理剤。
【請求項６】
前記粒状吸水性ゲル化剤が、１分以内にゲル化し始める吸水性ポリマーである、請求項１〜５のいずれか１項に記載のコロストミー用排泄物処理剤。
【請求項７】
前記粒状水溶性潤滑剤が、水溶性カルボキシメチルセルロースである、請求項１〜６のいずれか１項に記載のコロストミー用排泄物処理剤。
【請求項８】
水を含まない、請求項１〜７のいずれか１項に記載のコロストミー用排泄物処理剤。
【請求項９】
前記粒状水溶性潤滑剤が、前記薬剤Ａ中に、５．０〜１０．０質量％含まれる、請求項１〜８のいずれか１項に記載のコロストミー用排泄物処理剤。
【請求項１０】
前記粒状吸水性ゲル化剤が、前記薬剤Ａ中に、１５．０〜２５．０質量％含まれる、請求項１〜９のいずれか１項に記載のコロストミー用排泄物処理剤。
【請求項１１】
前記重曹が、前記薬剤Ａ中に、５６．５〜７０．０質量％含まれる、請求項１〜１０のいずれか１項に記載のコロストミー用排泄物処理剤。
【請求項１２】
前記（４）成分が、前記薬剤Ａ中に、１０．０〜２０．０質量％含まれる、請求項１〜１１のいずれか１項に記載のコロストミー用排泄物処理剤。
【請求項１３】
前記粒状吸水性ゲル化剤の含有量が、前記粒状水溶性潤滑剤の含有量よりも多い、請求項１〜１２のいずれか１項に記載のコロストミー用排泄物処理剤。
【請求項１４】
請求項１〜１３のいずれか１項に記載のコロストミー用排泄物処理剤と、
水を格納するための容器と、
を含む、コロストミー用排泄物処理剤キット。
【請求項１５】
コロストミー用パウチ中に、請求項１〜１３のいずれか１項に記載のコロストミー用排泄物処理剤と、水とをそれぞれ別途に添加することによって、前記コロストミー用パウチ中の排泄物を処理する方法。
【発明の詳細な説明】
【技術分野】
【０００１】
本発明は、コロストミー用排泄物処理剤に関する。
【背景技術】
【０００２】
現代医学の最終目的は、治療の上のクオリティ・オブ・ライフ（ＱＯＬ）の向上である。人工肛門造設手術（ｃｏｌｏｓｔｏｍｙ，コロストミー）、回腸造瘻術（ｉｌｅｏｓｔｏｍｙ，イレオストミー）、及び尿管皮膚瘻（ｕｒｏｓｔｏｍｙ，ウロストミー）等のストーマ造設手術を受けた患者は、生命を脅かす危険から逃れたものの、ストーマ患者は、日常的に便や尿を受容するオストミーパウチの装着が必要である。
【０００３】
オストミーパウチは、患者が通常の生活を行う上で有用なものであるが、一方で、排泄物からの臭気が周囲の人々に不快感を与えることを不安に感じ、心理的負担を抱えている使用者が多い。このような不安感は、使用者が外出や他者との交際などを忌避する一因ともなることから、臭気を効果的に抑える技術が強く要望されてきた。
【０００４】
他方、オストミーパウチを使用する際の問題点として、特に、コロストミー用途では、体内で糞便の形状がある程度形成されているため、糞便がパウチ底部までスムーズに落下せず上部に滞留し、場合によっては瘻孔部付近で固着してしまうことが挙げられる（イレオストミー用途では、糞便は水状であることが一般的であるためこの問題は生じ難い）。すなわち、パウチの内面が互いに張り付いていることにより、パウチに放出された糞便の流入や下方への移動が妨害され、主に瘻孔部付近に排泄物が溜まるという問題があった。また、糞便がパウチ内面に付着し、糞便の下方への移動を妨げることによっても、同様の問題を生じる場合もある。このような状態は、排泄を阻害し健康上の問題を引き起こすばかりでなく、パウチ着脱時の作業性を低下させ、使用者や周囲の人々が長時間、排出物の臭いにさらされることにつながり、大きな課題とされてきた。
【０００５】
このような課題に対して、オストミーパウチ用の固着防止剤や潤滑剤が提案されている（例えば、特許文献１〜３）。
【０００６】
また、排泄物の流入、下方への移動を円滑にし、パウチ内部への排泄物のこびりつき（パウチ内部の周囲への付着）を防ぎ、消臭機能および使用性に優れる、オストミーパウチ用潤滑剤組成物を提供しようとする技術もある（特許文献４）。
【０００７】
他にも、消臭効果を発揮し、排出をスムーズにさせようと、精製水、植物性消臭成分（柿渋エキス）、潤滑成分、フェノキシエタノール、メチルパラベンを含む、ボトル型の消臭潤滑剤も市販されている（非特許文献１）。また、１回使いきりの潤滑剤のミニパックも提案されている（非特許文献２）。
【先行技術文献】
【特許文献】
【０００８】
【特許文献１】特開２００４−０８１２９９号公報
【特許文献２】特開２００７−０００５０８号公報
【特許文献３】特表２００７−５２５２５１号公報
【特許文献４】特開２０１３−１６５８４９号公報
【非特許文献】
【０００９】
【非特許文献１】コロプラスト株式会社、製品情報  ［ｏｎｌｉｎｅ］、［平成２８年１２月１２日検索］、インターネット〈ＵＲＬ：ｈｔｔｐｓ：／／ｗｗｗ．ｃｏｌｏｐｌａｓｔ．ｃｏ．ｊｐ／ｄｅｏｌ−ｂｏｔｔｌｅ−ｊａ−ｊｐ．ａｓｐｘ〉
【非特許文献２】株式会社ホリスター、製品情報  ［ｏｎｌｉｎｅ］、［平成２８年１２月１２日検索］、インターネット〈ＵＲＬ：ｈｔｔｐｓ：／／ｗｗｗ．ｈｏｌｌｉｓｔｅｒ．ｃｏｍ／ｊａｐａｎ／ｐｒｏｄｕｃｔｓ／ｐｒｏｄｕｃｔ＿ｓｅｒｉｅｓ．ａｓｐ？ｉｄ＝１＆ｆａｍｉｌｙ＝９＆ｓｅｒｉｅｓ＝６００〉
【発明の概要】
【発明が解決しようとする課題】
【００１０】
しかしながら、従来提案されている潤滑剤等では、排泄物臭を採り切れないとの課題が存在する。さらには、従来において認識されていない、使用上の課題（携帯性、操作性）が存在していることについて、本発明者は、認識した。
【００１１】
よって、本発明は、潤滑剤としての必要な特性（適正な粘度等）を発揮する前提で、排泄物の排出性を維持または向上させ、排泄物臭の発生を抑制し、さらには、操作性および携帯性を向上しうる、コロストミー用排泄物処理剤を提供することを目的とする。
【課題を解決するための手段】
【００１２】
本発明者は、上記課題を解決すべく、鋭意検討を行った。その結果、（１）粒状水溶性潤滑剤と、（２）粒状吸水性ゲル化剤と、（３）重曹と、（４）酸化亜鉛、リモナイトおよび硫化亜鉛からなる群から選択される少なくとも１種を含む成分と、を含む薬剤Ａが、水溶性基材中に包含されてなる、コロストミー用排泄物処理剤を提供することによって、上記課題が解決できることを見出し、本発明の完成に至った。
【発明の効果】
【００１３】
本発明によれば、潤滑剤としての必要な特性（適正な粘度等）を発揮する前提で、排泄物の排出性を維持または向上させ、排泄物臭の発生の抑制し、さらには、操作性および携帯性を向上しうる、コロストミー用排泄物処理剤を提供することができる。
【図面の簡単な説明】
【００１４】
【図１】コロストミー用パウチの一例を示す概略斜視図である。
【図２】ストーマ患者がコロストミー用パウチを装着した状態で、排出口を一方の手で開けて、もう一方の手でコロストミー用排泄物処理剤を排出口から投入している模式図である。
【発明を実施するための形態】
【００１５】
以下、本発明を説明する。なお、本発明は、以下の実施の形態のみには限定されない。また、本明細書において、範囲を示す「Ｘ〜Ｙ」は「Ｘ以上Ｙ以下」を意味する。また、特記しない限り、操作および物性等の測定は室温（２０〜２５℃）／相対湿度４０〜５０％ＲＨの条件で測定する。
【００１６】
（コロストミー用排泄物処理剤）
本発明は、（１）粒状水溶性潤滑剤と、（２）粒状吸水性ゲル化剤と、（３）重曹と、（４）酸化亜鉛、リモナイト、リグニン、硫化亜鉛、消石灰および石灰石からなる群から選択される少なくとも１種を含む成分と、を含む薬剤Ａが、水溶性基材中に包含されてなる、コロストミー用排泄物処理剤である。かかる構成によって、潤滑剤としての必要な特性（適正な粘度等）を発揮する前提で、排泄物の排出性を維持または向上させ、排泄物臭の発生の抑制し、さらには、操作性および携帯性を向上しうる、コロストミー用排泄物処理剤を提供することができる。本明細書中、コロストミー用排泄物処理剤を単に処理剤と称する場合がある。
【００１７】
上記のように、従来、排泄物の下方への移動を円滑にし、パウチ内部への排泄物のこびりつきを防ごうと、塗布や噴霧の使用に供される、様々な潤滑剤が提案されている。
【００１８】
しかし、非特許文献１に開示されるような潤滑剤が格納されているボトル等を持ち歩こうとすると携帯性が悪い。それでなくても、オストミーパウチに関連する物を様々持ち歩かなければならないストーマ患者にとってはなおさらである。
【００１９】
そこで、本発明者は「『潤滑剤』を持ち歩く」との固定概念を取り払った。すなわち、本発明の処理剤は、ストーマ患者自身が、トイレやコンビニ等で簡単に調達できる水を添加することによって、必要なときに消臭ゲル化剤（消臭潤滑剤）を作製することができる処理剤である。換言すれば、本発明の処理剤によれば、重量の殆どを占めている液体またはゲルを含む潤滑剤を絶えず持ち歩く必要がなくなり携帯性が飛躍的に向上する（ただし、ここに水を使って如何にして適正なゲルを作製するのかとの新たな課題も生じる）。
【００２０】
一方、携帯性を向上させようと、１回使いきりの潤滑剤のミニパックも市販されている（例えば、非特許文献２）。しかし、ミニパックから潤滑剤を搾り出すために両手が必要であるため、両手が塞がれている状態では、コロストミー用パウチの排出口を開けることにも不便をきたし、操作性が悪い。
【００２１】
これに対して、本発明の処理剤は、水が添加されることによって事後的にゲル化する成分が水溶性基材中に包含されてなるため、コロストミー用パウチの排出口を一方の手で開きながら、もう一方の手でスルリと簡単に投入することができ操作性が格段に向上する（処理剤を投入した後、現場調達の水を添加すればよい）。
【００２２】
無論、本発明の処理剤は、従来の潤滑剤にはない消臭成分を含有しているため、従来の潤滑剤では採り切れない臭いも消すことができる。
【００２３】
本発明の処理剤は、（１）粒状水溶性潤滑剤と、（２）粒状吸水性ゲル化剤とを含む。このように水溶性の潤滑剤と、粒状吸水性ゲル化剤とを含むことによって両者が協働して本発明の所期の効果を奏することができる。また、（３）重曹を添加することによって、本発明で意図する適正なゲル化が進むものと考えられる。
【００２４】
また、本発明の処理剤は、酸化亜鉛、リモナイトおよび硫化亜鉛からなる群から選択される少なくとも１種を含む（４）成分を含む。かような成分を含むことによって本発明で意図する適正なゲル化が進むものと考えられる。以上のように、本発明の処理剤は、第（１）成分〜第（４）成分が単独であるは協働して作用することによって本発明の所期の技術的効果を奏することができるものと考えられる。ただしこれらのメカニズムは推測の域を超えておらず本発明の技術的範囲が当該メカニズムによって制限されないのは言うまでもない。
【００２５】
以下、本発明の処理剤の実施形態の説明を行う。
【００２６】
（１）粒状水溶性潤滑剤
本発明の処理剤は、薬剤Ａを含み、前記薬剤Ａは、（１）成分として、粒状水溶性潤滑剤を含む。なお、本明細書中、薬剤Ａを構成する成分の合計量は１００質量％である。
【００２７】
本発明の処理剤に含まれうる粒状水溶性潤滑剤は、水と接触した後、潤滑剤となる粒状の薬剤である。かような粒状水溶性潤滑剤としては、特に制限はないが、水溶性カルボキシメチルセルロース、カルボキシビニルポリマー（いわゆるカルボマー）、ベントナイトである。
【００２８】
前記粒状吸水性ゲル化剤の平均粒子径は、好ましくは０．１〜１５０μｍであり、より好ましくは１〜１０６μｍであり、さらに好ましくは２０〜６０μｍである。かような範囲であることによって本発明の所期の効果を効率的に奏することができる。また、８０メッシュ（１７７μｍ）を通過するものが、好ましくは９０％以上であり、より好ましくは９３％以上である。
【００２９】
ここで、本発明において「平均粒子径」は、統計学的に信頼ある数の粒子を任意に選択して、顕微鏡によって１粒ごと一番長い粒径を測定し、それらを相加平均した平均値を意味する。本明細書中に記載の「平均粒子径」は、同様の定義である。なお、所望の平均粒子径とするためには、適宜、篩いなどにかければよい。
【００３０】
粒状水溶性潤滑剤（２種類以上選択される場合はその合計量）は、前記薬剤Ａ中に、０．０１〜５０．０質量％含まれることが好ましく、０．１〜４０．０質量％含まれることがより好ましく、１．０〜３０．０質量％含まれることがさらに好ましく、２．０〜２０．０質量％含まれることがよりさらに好ましく、５．０〜１０．０質量％含まれることが好ましい。かかる実施形態によってゲルは適度な粘度となる。特に、５．０質量％以上含まれることによって本発明の所期の効果を効率的に奏することができる。
【００３１】
ここで、「適度な粘度」とは、平たく言えば、パウチ壁面全体に均一にゲルが付着し、排出口を下に向けても当該ゲルが下に落ちず（つまり、排出口付近に過剰な処理剤由来の液（ゲル）溜まりが発生せず）、一方、排泄物がパウチ内部に入り込むと、排泄物は壁面のゲルに付着しながら下に落ち、排出口を開けると、ゲルとともに排泄物がスムーズに排出される程度の粘度である。
【００３２】
粒状水溶性潤滑剤は、ゲル化能を有することが好ましい。ゲル化したときの粘度についても特に制限はないが、１００ｇの水（水温２５℃）に粒状水溶性潤滑剤１ｇを添加して２分攪拌を行い６０分静置させた際の粘度が、２０００〜１５０００ｍＰａ・ｓ程度であることが好ましく、５０００〜１２０００ｍＰａ・ｓ程度であることがより好ましく、７０００〜１００００ｍＰａ・ｓ程度であることがさらに好ましい。なお、本明細書中、粘度の値は、ゲルの温度２５℃で、Ｂ型粘度計によって測定された値を採用するものとする。
【００３３】
（水溶性カルボキシメチルセルロース）
本発明の好ましい実施形態によれば、前記粒状水溶性潤滑剤が、水溶性カルボキシメチルセルロースである。かかる実施形態によって、ゲルは適度な粘度となる。
【００３４】
水溶性カルボキシメチルセルロースを準備する方法としては、市販品を購入してもよく、例えば、日本製紙ケミカル（株）  商品名サンローズ（登録商標）Ｆ１４００ＭＧ等が挙げられる。
【００３５】
（カルボキシビニルポリマー（いわゆるカルボマー））
本発明の好ましい実施形態によれば、前記粒状水溶性潤滑剤が、カルボキシビニルポリマー（いわゆるカルボマー）である。カルボキシビニルポリマーは、アクリル酸系の架橋共重合体である。また、このカルボキシビニルポリマーは、カルボキシビニルポリマー塩であってもよい。カルボキシビニルポリマーは、水との親和性があり、塩基性（ｐＨ９〜１１）で水と混合することでゲル状の高粘度体となる。カルボマーそのもの自体は、通常、酸性に傾いているが、本発明の処理剤が水と混合された際、重曹、消石灰等と中和され、処理剤のｐＨ９〜１１程度となるため、処理剤にカルボキシビニルポリマーが含まれていると処理剤が増粘する。
【００３６】
カルボマーは、市販品の中から自由に選択することが可能であるが、粘度の経時変化の少ない安定性の高いものを用いることが好ましい。カルボキシビニルポリマーの市販品としては、たとえば、住友精化株式会社製  製品名：ＡＱＵＰＥＣ（登録商標）ＨＶ−５０５等を挙げることができる。
【００３７】
（ベントナイト）
本発明の好ましい実施形態によれば、前記粒状水溶性潤滑剤が、ベントナイトである。ベントナイトは、層状のフィロケイ酸アルミニウムを多く含み、高い粘性、粘着性、吸水性や吸着性などの性質を有する。
【００３８】
ベントナイトは、市販品の中から自由に選択することが可能である。ベントナイトの市販品としては、たとえば、クニミネ工業製クニミネＦ・モイストナイトＳ・モイストナイトＵ、豊洋ベントナイト鉱業（株）２５０ＳＡ−Ｂ等をあげることができる。
【００３９】
（２）粒状吸水性ゲル化剤
本発明の処理剤は、薬剤Ａを含み、前記薬剤Ａは、（２）成分として、粒状吸水性ゲル化剤を含む。
【００４０】
粒状吸水性ゲル化剤としては、アクリル酸塩系（アクリル酸重合体部分ナトリウム塩架橋物）で３次元に架橋された分子構造を有することが好ましい。
【００４１】
本発明の好ましい実施形態によれば、前記粒状吸水性ゲル化剤の平均粒子径が、１〜１０６μｍであることが好ましく、２０〜６０μｍであることがより好ましく、２２〜５０μｍであることがさらに好ましく、２４〜４０μｍであることがよりさらに好ましく、２６〜３５μｍであることがよりさらに好ましい。このように有意に小さい粒径であることによって水と接触すると著しく増粘する。
【００４２】
本発明の好ましい実施形態によれば、粒状吸水性ゲル化剤は、粒度１０６μｍ以下が、９５．０質量％以上であることが好ましく、９９．０質量％以上であることがより好ましい。粒度５３μｍ以下が、８５．０質量％以上であることが好ましく、９０．０質量％以上であることがより好ましい。粒度２０μｍ以下が、１８．０質量％以上であることが好ましく、２０．０質量％以上であることがより好ましい。他方、粒度５μｍ以下が、最大で１０．０質量％以下であることが好ましく、８．０質量％以下であることがより好ましく、５．０質量％以下であることがさらに好ましい。
【００４３】
本発明の好ましい実施形態によれば、前記粒状水溶性潤滑剤が、ゲル化能を有し、前記粒状吸水性ゲル化剤のゲル化の開始が、前記粒状水溶性潤滑剤のゲル化の開始よりも早い。また、本発明の好ましい実施形態によれば、前記粒状吸水性ゲル化剤が、１分以内、好ましくは３０秒以内、より好ましくは２０秒以内、さらに好ましくは１０秒以内にゲル化し始める吸水性ポリマーである。下限としては、通常、２０秒程度である。また、本発明の好ましい実施形態によれば、前記粒状水溶性潤滑剤が、２０分以内、好ましくは１５分以内、より好ましくは１０分以内、さらに好ましくは５分以内にゲル化し始める下限としては、通常、１８０秒程度である。これらの実施形態には以下の作用効果があると考えられる。すなわち、粒状水溶性潤滑剤と、粒状吸水性ゲル化剤とにゲル化開始の時間に差があることによって、粒状吸水性ゲル化剤の作用によってゲル化するまでの時間を短縮し、一定の時間が経過した後に、粒状水溶性潤滑剤がゲル化を開始するので、長時間ゲル化を保持することができる。その観点で、潤滑剤としての必要な特性を発揮することができる。
【００４４】
粒状吸水性ゲル化剤のゲル化したときの粘度についても特に制限はないが、１００ｇの水（水温２５℃）に粒状吸水性ゲル化剤１ｇを添加して１分攪拌を行い５分静置させた際の粘度が、２０００〜１５０００ｍＰａ・ｓ程度であることが好ましく、３０００〜１４０００ｍＰａ・ｓ程度であることがより好ましく、５０００〜１２０００ｍＰａ・ｓ程度であることがさらに好ましい。
【００４５】
粒状吸水性ゲル化剤（２種類以上選択される場合はその合計量）は、前記薬剤Ａ中に、０．１〜７０．０質量％含まれることが好ましく、５．０〜５０．０質量％含まれることがより好ましく、１０．０〜４０．０質量％含まれることがさらに好ましく、５．０〜３０．０質量％含まれることがよりさらに好ましく、１０．０〜２８．０質量％含まれることがよりさらに好ましく、１５．０〜２５．０質量％含まれることがよりさらに好ましく、１６．０〜２０．０質量％含まれることがよりさらに好ましい。かような範囲であると、ゲルは適度な粘度となる。
【００４６】
粒状吸水性ゲル化剤を準備する方法としては、市販品を購入してもよく、例えば、サンフレッシュＳＴ−５００ＭＰＳＡ  三洋化成工業株式会社製が好適である。サンフレッシュＳＴ−５００ＭＰＳＡは、有意に小さい粒径であるため、水と接触すると著しく増粘する。サンフレッシュは、アクリル酸塩系（アクリル酸重合体部分ナトリウム塩架橋物）で３次元に架橋された分子構造を有し、これが水に触れると、カルボキシル基がイオン化し親水性が高まった分子鎖は水に溶けようと広がり、同時にイオン濃度差によって生じる浸透圧で分子鎖間に水が入り込むとともに、マイナス同士であるイオンの反発力によって３次元架橋で制限された領域まで分子鎖は広がり、広げた魚網の網目の一つ一つに水が取り込まれた状態になる。このように、水に溶けようとして分子鎖が広がる作用と、架橋構造によって分子鎖の広がりを制限する作用によって吸水力が発現する。
【００４７】
（３）重曹
本発明の処理剤は、薬剤Ａを含み、前記薬剤Ａは、（３）成分として、重曹を含む。重曹（炭酸水素ナトリウム）は、組成式ＮａＨＣＯ３で表されるナトリウムの炭酸水素塩である。重曹は食品添加物としても使用されることがあるように人体に対して安全である。したがって、薬傷を生じさせにくいという点からも、重曹は好適である。また、下水にそのまま流すこともでき、後の処理が非常に楽になる。重曹を準備する方法としては、市販品を購入してもよく、例えば、東ソー製やＱＩＮＤＡＯ  ＨＡＩ  ＷＡＮ  ＧＲＯＵＰ  ＩＭＰ．＆  ＥＸＰ．ＣＯ．社製や、Ｚｉｃｈｕａｎ  Ａｎｔｏｕ  Ａｌｕｍ  Ｆａｃｔｏｒｙ社製の産業等級重曹などが好ましい。
【００４８】
重曹の平均粒子径にも特に制限はないが、３０〜１５０μｍが好ましく、より好ましくは、８０〜１００μｍである。
【００４９】
重曹は、前記薬剤Ａ中に、１０．０〜９５．０質量％含まれることが好ましく、３０．０〜９０．０質量％含まれることがより好ましく、４０．０〜８０．０質量％含まれることがさらに好ましく、５０．０〜７０．０質量％含まれることがよりさらに好ましく、５６．５〜６５．０質量％含まれることがよりさらに好ましい。かかる実施形態によって大便中の悪臭成分である硫黄系化合物や脂肪酸系化合物の分解、吸着を行うとの技術的効果を有する。特に、５６．５質量％以上含まれることによって本発明の所期の効果をより奏することができる。
【００５０】
（４）酸化亜鉛、リモナイトおよび硫化亜鉛
本発明の処理剤は、薬剤Ａを含み、前記薬剤Ａは、（４）成分として、酸化亜鉛、リモナイトおよび硫化亜鉛からなる群から選択される少なくとも１種を含む成分を含む。
【００５１】
（４）成分の平均粒子径（Ｄ５０）にも特に制限はないが、０．１〜２００μｍであることが好ましく、０．５μｍ〜１１０μｍであることがより好ましく、１μｍ〜１００μｍであることがさらに好ましく、１．１〜５０μｍであることがよりさらに好ましく、１．２〜２５μｍであることがよりさらに好ましく、１．２〜２０μｍであることがよりさらに好ましく、１．３〜１０μｍであることがよりさらに好ましく、１．４〜５μｍであることがよりさらに好ましい。ここで、Ｄ５０は、体積基準の粒度分布に基づく積算５０％粒子径である。Ｄ５０は、市販の粒度測定装置を利用して測定することができる。かかる粒度測定装置は、動的光散乱法、レーザー回折法、レーザー散乱法、または細孔電気抵抗法等のいずれの手法に基づくものであってもよい。
【００５２】
（４）成分（２種類以上選択される場合はその合計量）は、前記薬剤Ａ中に、０．１〜８０．０質量％含まれることが好ましく、１．０〜７０．０質量％含まれることがより好ましく、３．０〜６０．０質量％含まれることがさらに好ましく、５．０〜５０．０質量％含まれることよりさらに好ましく、５．０〜３０．０質量％含まれることがよりさらに好ましく、１０．０〜２０．０質量％含まれることがよりさらに好ましい。よって、本発明の好ましい実施形態によれば、本発明の好ましい実施形態によれば、前記（４）成分が、前記薬剤Ａ中に、１０．０〜２０．０質量％含まれる。かかる実施形態によって大便中の悪臭成分である硫黄系化合物や脂肪酸系化合物の分解、吸着を行うとの技術的効果を有する。
【００５３】
（酸化亜鉛）
酸化亜鉛は、ＺｎＯで表される亜鉛の酸化物であり、アンモニア、硫化物などの臭いの成分を吸着して消臭、脱臭する効果を有する。
【００５４】
酸化亜鉛としては、市販品の中から自由に選択することが可能である。たとえば、酸化亜鉛Ｉ種（ハクスイテック株式会社製）、酸化亜鉛ＩＩ種（ハクスイテック株式会社製）などが挙げられる。
【００５５】
（リモナイト）
リモナイトの化学組成は、ＦｅＯ（ＯＨ）・ｎＨ２Ｏであるが、赤鉄鉱（Ｆｅ２Ｏ３）や粘土鉱物、酸化マンガン（ＩＩ）などを不純物として含む場合がある。リモナイトが含まれることによって大便中の悪臭成分である硫黄系化合物や脂肪酸系化合物の分解、吸着を行うとの技術的効果を有する。
【００５６】
リモナイトとしては、市販品の中から自由に選択することが可能である。たとえば、Ａ．Ｓ．Ｏ（日本リモナイト社製）、ＬＭＢ５０社製などが挙げられる。
【００５７】
（硫化亜鉛）
硫化亜鉛は組成式ＺｎＳで表される共有結合性の化合物で、白または黄色の粉末または結晶である。
【００５８】
硫化亜鉛としては、市販品の中から自由に選択することが可能である。たとえば、ＲＡＫシリーズ、堺化学工業（株）社製などが挙げられる。
【００５９】
（水溶性基材）
本発明の処理剤は、薬剤Ａが、水溶性基材中に包含されることによってなる。
【００６０】
水溶性基材としては、水に溶解する基材であれば特に制限されず、例えば水溶紙、水溶性フィルム等が挙げられる。
【００６１】
水溶性基材のサイズとしては特に制限はないが、好ましくはパウチの排出口に投入できるサイズであることが好ましい。また、水溶性基材のサイズの形状も、好ましくはパウチの排出口に投入できる形状であれば特に制限はない。
【００６２】
（５）リグニン、消石灰および石灰石
本発明では、処理剤は、薬剤Ａを含み、前記薬剤Ａは、（５）成分として、リグニン、消石灰および石灰石からなる群から選択される少なくとも１種を含む成分をさらに含むことが好ましい。よって、本発明の好ましい実施形態によれば、（５）リグニン、消石灰および石灰石からなる群から選択される少なくとも１種を含む成分をさらに含む。かかる実施形態によって消臭効果が向上する。また除菌作用や大便中の悪臭成分である硫黄系化合物や脂肪酸系化合物の分解、吸着を行うとの技術的効果を有する。
【００６３】
（５）成分の平均粒子径にも特に制限はないが、０．１〜１０００μｍであることが好ましく、１０〜１５０μｍであることがより好ましく、３０〜５０μｍであることがさらに好ましい。かかる範囲であれば、大便中の悪臭成分の分解、吸着を行うとの効果がある。また、１００メッシュ（１５０μｍ）を通過するものが、好ましくは９０％以上であり、より好ましくは９３％以上である。
【００６４】
（５）成分（２種類以上選択される場合はその合計量）は、前記薬剤Ａ中に、０．０１〜３０．０質量％含まれることが好ましく、０．１〜２０．０質量％含まれることがより好ましく、０．５〜１０．０質量％含まれることがさらに好ましく、１．０〜５．０質量％であることがよりさらに好ましい。かかる範囲であれば、大便中の悪臭成分の分解、吸着を行うとの効果がある。
【００６５】
（リグニン）
リグニンは、高等植物の木化に関与する高分子のフェノール性化合物であり、木質素とも呼ばれる。
【００６６】
リグニンとしては、市販品の中から自由に選択することが可能である。たとえば、日本製紙社製サンエキス、バニレックス、パールレックス社製のものなどが挙げられる。
【００６７】
（消石灰）
消石灰（Ｃａ（ＯＨ）２）は、強アルカリであるため、排泄物（糞尿、特に大便）の殺菌効果が大きい。
【００６８】
消石灰の形状は、特に制限されず、例えば、粉粒状、ペレット状等が例示できるが、大便に対して消石灰を効果的に分散させるという観点から、粉粒状であることが好ましい。
【００６９】
消石灰は、疎水性の被覆剤で表面処理したものであってもよい。また、消石灰は、合成してもよいし市販品を用いてもよい。
【００７０】
消石灰を準備する方法としては、市販品を購入する方法が好ましく、例えば、宇部マテリアルズ社のものなどが好ましい。
【００７１】
（石灰石）
石灰石（炭酸カルシウム）は、組成式ＣａＣＯ３で表されるカルシウムの炭酸塩である。石灰石は、アルカリ性であるため、消石灰と同様の効果がある。
【００７２】
石灰石の形状は、特に制限されず、例えば、粉粒状、ペレット状等が例示できるが、大便に対して効果的に分散させるという観点から、粉粒状であることが好ましい。
【００７３】
石灰石を準備する方法としては、市販品を購入する方法が好ましく、例えば、宇部マテリアルズ社のタンカル、吉澤石灰工業株式会社の工業用タンカルなどが好ましい。
【００７４】
本発明の好ましい実施形態によれば、前記（４）成分が、酸化亜鉛または硫化亜鉛であり、前記（５）成分が、消石灰または石灰石である。かかる実施形態によって、処理剤が白色になるとの技術的効果を有する。ここで、ストーマ患者は、日常生活を送る上で健常者が想像も付かない悩みを抱えていることがある。例えば、女性であれば白いブラウスを着用したいことも多々あり、男性であれば白いワイシャツを着用する機会も多い。しかしストーマ患者は、パウチからの排出物の排出や潤滑剤の投入で失敗すると排泄物が衣服に付着し目立ってしまう。これに対し、かかる実施形態によれば、処理剤が白色になるとの技術的効果を有するため、かような問題も解決することができる。
【００７５】
なお、本発明の好ましい実施形態によれば、処理剤は、水を含まない。かかる実施形態によれば、重量の殆どを占めている液体を含む潤滑剤を絶えず持ち歩く必要がなくなり携帯性が飛躍的に向上する。かような、水等を含まない処理剤を事後的にゲル化させるとの技術的思想は従来存在せず、画期的なものである。
【００７６】
（コロストミー用排泄物処理剤の粘度）
処理剤の粘度は、（２）粒状吸水性ゲル化剤単独の粘性や、（１）粒状水溶性潤滑剤単独の粘性のみに依存せず、（１）〜（４）成分の相互作用によって決まりうる。ここで、処理剤の粘度は、１０ｇの水（水温２５℃）に処理剤１ｇを添加して１分攪拌を行い１時間静置させた際の粘度が、２０００〜１５０００ｍＰａ・ｓ程度であることが好ましく、３０００〜１４０００ｍＰａ・ｓ程度であることがより好ましく、５０００〜１２０００ｍＰａ・ｓ程度であることがさらに好ましい。かかる範囲であると、ゲルが硬すぎず、柔らかすぎず、ママコの発生も抑制でき、排出性も有意に向上する。
【００７７】
（コロストミー用排泄物処理剤の製造方法）
本発明の処理剤の製造方法は、（１）粒状水溶性潤滑剤と、（２）粒状吸水性ゲル化剤と、（３）重曹と、（４）酸化亜鉛、リモナイトおよび硫化亜鉛からなる群から選択される少なくとも１種を含む成分と、を含む薬剤Ａを、水溶性基材中に包含することを有する。
【００７８】
水溶性基材として、水溶紙を使って、処理剤を製造する形態であれば、水溶紙を袋状に作製して、この袋状の水溶紙に、薬剤Ａを添加し、公知の方法で、袋状の水溶紙を薬剤Ａが出ないように封止すればよい。なお、（１）粒状水溶性潤滑剤と、（２）粒状吸水性ゲル化剤と、（３）重曹と、（４）酸化亜鉛、リモナイトおよび硫化亜鉛からなる群から選択される少なくとも１種を含む成分とを袋状の水溶紙に添加する前に薬剤Ａとして予め作製しておいてもよいし、袋状の水溶紙中に、（１）粒状水溶性潤滑剤と、（２）粒状吸水性ゲル化剤と、（３）重曹と、（４）酸化亜鉛、リモナイトおよび硫化亜鉛からなる群から選択される少なくとも１種を含む成分とを添加することによって袋状の水溶紙中で薬剤Ａを作製してもよい。
【００７９】
水溶性基材として、水溶性フィルムを使って、処理剤を製造する形態であれば、薬剤Ａを圧着等の加工技術で水溶性フィルム中に包含させてもよい。
【００８０】
このようにして、薬剤Ａが、水溶性基材中に包含されてなる、処理剤を作製することができる。いずれにせよ、薬剤Ａが水溶性基材中に包含する方法であれば特に制限はない。
【００８１】
（コロストミー用排泄物処理剤の使用方法）
処理剤の使用方法について説明する。本発明の処理剤は、コロストミー用パウチの排出口等から投入できるサイズを有することによって、如何なるコロストミー用パウチにも用いることができる。
【００８２】
図１は、コロストミー用パウチの一例を示す概略斜視図である。図１に示されるように、コロストミー用パウチ１０は、コロストミー用パウチの裏面１１と、コロストミー用パウチの表面１２と、瘻孔部に脱着可能なフランジ１４と、ガス抜き部１５と、排泄物が排出される排出口１６と、排泄物が必要なときまで排出されないようにする止め部１３とを備える。なお、図１のコロストミー用パウチは、いわゆるツーピース装具であるが本発明の処理剤は、ワンピース装具のコロストミー用パウチにも用いることができるのは言うまでもない。無論、他の形態のコロストミー用パウチにも適用できる。
【００８３】
図２は、ストーマ患者がコロストミー用パウチを装着した状態で、排出口を一方の手で開けて、もう一方の手で処理剤を排出口から投入している模式図である。図２に示されるように、ストーマ患者は、コロストミー用パウチ１０を装着した状態で、コロストミー用パウチ１０の排出口１６を左手１０２で開きながら、右手１０３で薬剤Ａが水溶性基材中に包含されてなる処理剤２０を投入している。このように、本発明によれば処理剤の投入に関し操作性が格段に向上する。なお、処理剤２０を投入した後は、トイレ等で事前に水を調達し、排出口１６を左手１０２で開いて、右手１０３で水を添加すればよい。
【００８４】
ところで、ストーマ患者は、外見ではストーマ患者であることが把握されないため、多目的トイレ（障碍者用トイレ）等を使用した場合に、特に使用時間が長いと、多目的トイレを使用しようと待っている障碍者等から迷惑な顔をされることもある。これに対して、本発明の処理剤は操作性が向上しており、かつ、ゲル化する時間も短いので多目的トイレ（障碍者用トイレ）を使用する時間も短くすることができこのような状況とならない。また、例えば、職場等でもストーマを使用していることを秘密にしている患者も存在する。その場合、ボトル式の潤滑剤は大きいためトイレに持っていくことができず、また小分けのミニパック式の潤滑剤を使用するとミニパックから潤滑剤を搾り出すために両手が必要で、コロストミー用パウチの排出口を開けることにも不便をきたす。このような操作性では、トイレに徒に時間が掛かってしまう。職場においてトイレの時間が毎回過度に長いと、パウチからの排出物の排泄や、潤滑剤の添加を行っているだけであるのにも関わらず、サボっているのではないかとの指摘を受けることがある。これに対し、本発明の処理剤を使用すれば大きなボトル式の潤滑剤をトイレに持ち込むことも必要なく、また、ミニパックからの搾り出しも不要であるため、このような場面でも好適に使用することができる。また、焦ることなく処理剤を投入することもできるので衣服へ排出物が付着する失敗も低減することができる。また操作性も向上しているので衣服へ排出物が付着する失敗も低減することができる。
【００８５】
（コロストミー用排泄物処理剤キット）
本発明によれば、上記の処理剤と、水を格納するための容器と、を含む、コロストミー用排泄物処理剤キットも提供される。水を格納するための容器をセットにすることによって、水をコロストミー用パウチの排出口から容易に添加することができる。本発明の好ましい実施形態によれば、処理剤の重量に適した水の量を簡単に量りとることができるようになっている。例えば、容器が満たされる水の量が処理剤の重量に適した量となる容器であってもよいし、処理剤の重量に適した水の量を示すメモリを付した容器であってもよい。
【００８６】
（コロストミー用パウチ中の排泄物を処理する方法）
本発明によれば、コロストミー用パウチ中に、上記処理剤と、水とをそれぞれ別途に添加することによって、前記コロストミー用パウチ中の排泄物を処理する方法も提供される。かかる構成は、換言すれば、重量の殆どを占めている液体またはゲルを含む潤滑剤を絶えず持ち歩く必要がなくなり携帯性が飛躍的に向上する。
【実施例】
【００８７】
以下、本発明の代表的な実施形態を示し、本発明につきさらに説明するが、無論、本発明がこれらの実施形態に限定されるものではない。なお、実施例中において特に断りのない限り、「部」は「質量部」を、「％」は「質量％」を表す。また、特記しない限り、操作および物性等の測定は室温（２０〜２５℃）／相対湿度４０〜５０％ＲＨの条件で測定する。
【００８８】
＜実施例１＞
片面をＰＶＡでラミネートされた水溶紙からなる水溶性基材（０．３ｇ）中に、表１に示される組成の、粒状水溶性潤滑剤（ＣＭＣ）、粒状吸水性ゲル化剤（吸水ポリマー）、重曹および酸化亜鉛を混合してなる薬剤Ａを添加し、当該水溶性基材を熱（１３０℃）でヒートシール圧２ｋｇ／ｃｍ２、時間１秒で封止することによって、薬剤Ａが水溶性基材中に包含されてなるコロストミー用排泄物処理剤（大きさ：７ｃｍ（のりしろ込）×２．５ｃｍ（のりしろ込））を作製した。
【００８９】
その後、
（１）コロストミー用パウチの排出口を一方の手で開きながら、もう一方の手で、コロストミー用パウチの排出口から、上記で作製したコロストミー用排泄物処理剤を投入した。
【００９０】
（２）続いて、コロストミー用パウチの排出口を一方の手で開きながら、もう一方の手で５０ｇの水が格納されている容器から、水をすべて注ぎ入れた。
【００９１】
（３）そして、両手を使ってコロストミー用パウチの両壁を擦り合わせて揉むようにしてゲル化したコロストミー用排泄物処理剤を全体に行き渡らせた。
【００９２】
（４）その後、コロストミー用パウチを、Ｓ字フックを使って吊り下げ、１時間放置した。
【００９３】
（５）その後、コロストミー用パウチのフランジの中央に設けられた開口部から１６０ｇの大便を投入した。
【００９４】
＜実施例２〜４、比較例１〜６＞
表１に示されるように成分等を変更した以外は、実施例１と同様にして、実験を行った。なお、表１中の「−」は、添加していないことを示す。
【００９５】
［評価］
＜パウチ内ゲル化能＞
パウチ内でのゲル化能を評価した。
【００９６】
○：上記（２）の後、コロストミー用排泄物処理剤が３分以内でゲル化したと認められた。
【００９７】
×：上記（２）の後、コロストミー用排泄物処理剤は６０分以上かけないとゲル化しなかった。
【００９８】
−：ゲル化しなかった。
【００９９】
＜パウチ内での粘性＞
パウチ内でのコロストミー用排泄物処理剤の粘性を評価した。
【０１００】
○：上記（４）の１時間放置後、ゲルは、パウチ壁面に全体に均一に付着していた。
【０１０１】
△：上記（４）の１時間放置後、ゲルは、壁面を伝ってダレていることが確認できた。
【０１０２】
×：上記（３）で、コロストミー用排泄物処理剤をパウチ壁面の全体に行き渡らせても、ゲルが硬すぎ、不均一にパウチ壁面に付着していた。
【０１０３】
−：水状でありゲルにならなかった。
【０１０４】
＜ママコの有無＞
パウチ中のママコの発生状況を目視で確認した。
【０１０５】
無し：上記（４）の１時間放置後、ママコが目視で確認できなかった。
【０１０６】
有り：上記（４）の１時間放置後、目視にてママコが発生していると認められた割合をゲル全体の体積％で示した。なお、ママコとは直径０．５ｃｍ以上の塊を意味する。
【０１０７】
＜排出性＞
大便を投入して、排出口からの大便の排出性を評価した。
【０１０８】
◎：上記（５）で大便を投入して１１時間経過し、排出口を開けると、重力に従ってスムーズに排出された、
○：上記（５）で大便を投入して１１時間経過し、排出口を開けた後、手を使えばスムーズに排出された、
×：上記（５）で大便を投入して１１時間経過し、排出口を開けた後、手を使ってもスムーズに排出されなかった。
【０１０９】
＜臭気＞
臭気の評価は、大便の排出を行う過程で感じた臭気の評価である。
【０１１０】
◎：臭気を殆ど感じない、
○：僅かに臭気を感じる、
×：臭気を感じる。
【０１１１】
＜周囲の付着＞
大便の排出後、パウチ壁面に付着している残渣物（ゲルと大便）の割合を示した。
【０１１２】
○：パウチ壁面に付着している残渣物（ゲルと大便）が壁面の全体の面積の約２％、
△：パウチ壁面に付着している残渣物（ゲルと大便）が壁面の全体の面積の約５％、
×：パウチ壁面に付着している残渣物（ゲルと大便）が壁面の全体の面積の約１０％、
××：パウチ壁面に付着している残渣物（ゲルと大便）が壁面の全体の面積の約２０％。
【０１１３】
＜粒状水溶性潤滑剤と、粒状吸水性ゲル化剤のゲル化開始時間の評価＞
１００ｍｌの水の中に粒状水溶性潤滑剤１ｇ添加し、攪拌せずに放置した。
【０１１４】
１００ｍｌの水の中に粒状吸水性ゲル化剤１ｍｇ添加し、攪拌せずに放置した。
【０１１５】
粒状水溶性潤滑剤は１０分後にゲルの状態となったので１０分でゲル化すると評価した。粒状吸水性ゲル化剤は１分後にゲルの状態となったので１分でゲル化すると評価した。
【０１１６】
よって、粒状吸水性ゲル化剤のゲル化の開始が、前記粒状水溶性潤滑剤のゲル化の開始よりも早いことが認められた。
【０１１７】
【表１】
2018114074.tif 000003
【０１１８】
＜考察＞
実施例１〜４のコロストミー用排泄物処理剤を使用した実験では、すべての評価項目が優れていた。特に、本実験では、通常便（水分を過剰に含まない便）を使用しても結果が優れていた点が特筆すべきものである。つまり、ストーマ患者の便は水分を多く含むため、通常便よりも排出性がよい傾向にある。つまり、排出がより難しい通常便での排出性が優れていれば、ストーマ患者の便の排出性もよいことになる。
【０１１９】
結果を詳しく考察すると、実施例１、２は、すべての評価項目が特に優れていた。
【０１２０】
実施例２は、消石灰を使用しているため脱臭効果が高い点で好適である。一方、
実施例１は、消石灰を使わず使用者の皮膚への刺激が抑えられる点で好適である。
【０１２１】
実施例３は、重曹の含有量が若干少ないため、ゲルが硬くなり、ママコの発生が若干認められ、周囲の付着も認められたが、排出性、脱臭性に影響を与えるものではなく潤滑剤としての必要な特性を有していた。
【０１２２】
実施例４は、粒状水溶性潤滑剤の含有量が若干少ないため、ゲルが柔らかくなったが、排出性や、脱臭性に影響を与えるものではなく潤滑剤としての必要な特性を有していた。
【０１２３】
他方、
比較例１は、粒状吸水性ゲル化剤が添加されていないので、ゲル状になるまでの時間が遅く潤滑剤としての必要な特性を有していなかった。
【０１２４】
比較例２は、粒状水溶性潤滑剤が添加されていないので、ママコが多く発生した。つまり、ゲルが局在化し、（分散性が悪く）、便に不均一に触れるため、排出性が悪く、排出時の臭気が強く、周囲への付着も多かった。
【０１２５】
比較例３は、（４）成分が入っておらず、ゲル状にならず、潤滑剤としての必要な特性を有していなかった。
【０１２６】
比較例４は、重曹が添加されていないため、ママコが多く発生した。つまり、ゲルが局在化（分散性が悪く）、便に不均一に触れるため、排出性が悪く、排出時の臭気が強く、周囲への付着も多かった。ここで、周囲付着が「××」との結果になった理由を推察する。比較例２では、水溶性潤滑剤（ＣＭＣ）が含有されておらず、粒状吸水性ゲル化剤だけなのでゲルが硬くなった。一方、重曹は粒状吸水性ゲル化剤の固化を適度に阻害する反応を示すと考えられるため、粒状吸水性ゲル化剤が比較例２より少なくてもゲルが硬くなった。比較例２も、比較例４もゲルが硬くなった理由で周囲付着が増えたが、比較例４より粘度が低かったため、比較例４は潤滑性がより悪く、比較例４の方の結果がより悪くなったものと推測される。
【０１２７】
比較例５は、消石灰も添加されており、脱臭性が期待される。しかし、重曹が添加されていないため、ママコが多く発生し、ゲルが局在化し（分散性が悪く）、便に不均一に触れるため、排出時の臭気が強かった。
【０１２８】
比較例６は、（４）成分が入っておらず、ゲル状にならず、潤滑剤としての必要な特性を有していなかった。ただ、比較例３と違い、消石灰が含まれているので臭気の結果は良かった。
【符号の説明】
【０１２９】
１０  コロストミー用パウチ、
１１  コロストミー用パウチの裏面、
１２  コロストミー用パウチの表面、
１３  止め部、
１４  フランジ、
１５  ガス抜き部、
１６  排出口、
２０  コロストミー用排泄物処理剤、
１０１  瘻孔部、
１０３  右手、
１０２  左手。
【図１】
2018114074.tif 000004
【図２】
2018114074.tif 000005
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
（１）粒状水溶性潤滑剤と、
（２）粒状吸水性ゲル化剤と、
（３）重曹と、
（４）酸化亜鉛、リモナイトおよび硫化亜鉛からなる群から選択される少なくとも１種を含む成分と、
を含む薬剤Ａが、袋状の水溶性基材中に包含され、
前記粒状水溶性潤滑剤が、ゲル化能を有し、前記粒状吸水性ゲル化剤のゲル化の開始が、前記粒状水溶性潤滑剤のゲル化の開始よりも早く、
水を含まない、コロストミー用排泄物処理剤。
【請求項２】
（５）リグニン、消石灰および石灰石からなる群から選択される少なくとも１種を含む成分をさらに含む、請求項１に記載のコロストミー用排泄物処理剤。
【請求項３】
前記（４）成分が、酸化亜鉛または硫化亜鉛であり、
前記（５）成分が、消石灰または石灰石である、請求項２に記載のコロストミー用排泄物処理剤。
【請求項４】
前記粒状吸水性ゲル化剤の平均粒子径が２０〜６０μｍである、請求項１〜３のいずれか１項に記載のコロストミー用排泄物処理剤。
【請求項５】
前記粒状吸水性ゲル化剤が、１分以内にゲル化し始める吸水性ポリマーである、請求項１〜４のいずれか１項に記載のコロストミー用排泄物処理剤。
【請求項６】
前記粒状水溶性潤滑剤が、水溶性カルボキシメチルセルロースである、請求項１〜５のいずれか１項に記載のコロストミー用排泄物処理剤。
【請求項７】
前記粒状水溶性潤滑剤が、前記薬剤Ａ中に、５．０〜１０．０質量％含まれる、請求項１〜６のいずれか１項に記載のコロストミー用排泄物処理剤。
【請求項８】
前記粒状吸水性ゲル化剤が、前記薬剤Ａ中に、１５．０〜２５．０質量％含まれる、請求項１〜７のいずれか１項に記載のコロストミー用排泄物処理剤。
【請求項９】
前記重曹が、前記薬剤Ａ中に、５６．５〜７０．０質量％含まれる、請求項１〜８のいずれか１項に記載のコロストミー用排泄物処理剤。
【請求項１０】
前記（４）成分が、前記薬剤Ａ中に、１０．０〜２０．０質量％含まれる、請求項１〜９のいずれか１項に記載のコロストミー用排泄物処理剤。
【請求項１１】
前記粒状吸水性ゲル化剤の含有量が、前記粒状水溶性潤滑剤の含有量よりも多い、請求項１〜１０のいずれか１項に記載のコロストミー用排泄物処理剤。
【請求項１２】
請求項１〜１１のいずれか１項に記載のコロストミー用排泄物処理剤と、
水を格納するための容器と、
を含む、コロストミー用排泄物処理剤キット。
【請求項１３】
コロストミー用パウチ中に、請求項１〜１１のいずれか１項に記載のコロストミー用排泄物処理剤と、水とをそれぞれ別途に添加することによって、前記コロストミー用パウチ中の排泄物を処理する方法。